(57)【要約】  外部の埃が室内機本体（１０）に設けられた軸流ファン（１１）および熱交換器（１２）に与える影響を低減する。空調室内機（１）の室内機本体（１０）は、側面に吸込口が、底面に吹出口が形成されている。室内機本体（１０）は、軸流ファン（１１）と、軸流ファン（１１）を囲む熱交換器（１２）とを有している。空調室内機（１）は、装飾パネル（２０）をさらに備え、装飾パネル（２０）は、少なくともその一部が室内機本体（１０）を囲むように、室内機本体（１０）の外側面に設置される。
2019225278.tif 000002
【特許請求の範囲】
【請求項１】
側面に吸込口が形成され、且つ、底面に吹出口が形成されている、室内機本体（１０）と、
装飾パネル（２０）と、
を備え、
前記室内機本体（１０）は、軸流ファン（１１）と、前記軸流ファン（１１）を囲む熱交換器（１２）と、を有し、
前記装飾パネル（２０）は、少なくともその一部が前記室内機本体（１０）を囲むように、前記室内機本体（１０）の外側面に設置される、
空調室内機（１）。
【請求項２】
前記室内機本体（１０）は、複数の側面を有し、
各前記側面には、前記吸込口が形成され、
前記熱交換器（１２）は、前記室内機本体（１０）の前記側面に沿って設置される、
請求項１に記載の空調室内機。
【請求項３】
前記装飾パネル（２０）は、複数のサブパネルによって組み立てられる、
請求項１または２に記載の空調室内機。
【請求項４】
前記複数のサブパネルは、切り離すことのできる第１サブパネル（２１）および第２サブパネル（２２）であり、
前記第１サブパネル（２１）は、Ｕ字状を呈し、前記室内機本体（１０）の４つの側面のうち、第１側面、第２側面および第３側面を覆い、
前記第２サブパネル（２２）は、平面状を呈し、前記室内機本体（１０）の４つの側面のうち、第４側面を覆う、
請求項３に記載の空調室内機。
【請求項５】
冷媒配管、
をさらに備え、
前記冷媒配管は、前記室内機本体（１０）の前記第４側面から引き出されて前記第２サブパネル（２２）を貫通し、
前記第２サブパネル（２２）は、複数の部分により構成され、
前記複数の部分は、接合によって前記冷媒配管が貫通する孔（ＴＨ）を形成する、
請求項４に記載の空調室内機。
【請求項６】
前記複数のサブパネルは、それぞれ平面状を呈し、それぞれ前記室内機本体の複数の側面を覆う、
請求項３に記載の空調室内機。
【請求項７】
冷媒配管、
をさらに備え、
前記冷媒配管は、前記室内機本体（１０）の１つの側面から引き出されて前記装飾パネルを貫通し、
前記複数のサブパネルのうち、少なくとも１つのサブパネルは、複数の部分により構成され、
前記複数の部分は、接合によって前記冷媒配管が貫通する孔を形成する、
請求項６に記載の空調室内機。
【請求項８】
前記室内機本体（１０）は、フィルター（１３）を有しており、
前記フィルターは、前記熱交換器と前記装飾パネルとの間に位置する、
請求項１から請求項７のいずれか１項に記載の空調室内機。
【請求項９】
前記装飾パネル（２０）は、格子構造を有する、
請求項１から請求項８のいずれか１項に記載の空調室内機。
【請求項１０】
冷媒配管、
をさらに備え、
前記冷媒配管は、前記室内機本体の１つの側面から引き出されて前記装飾パネルを貫通する、
請求項１から請求項９のいずれか１項に記載の空調室内機。
【請求項１１】
前記室内機本体（１０）は、フレーム構造を有し、
前記装飾パネル（２０）は、接続部材によって前記フレーム構造を構成する部材と接続される、
請求項１から請求項１０のいずれか１項に記載の空調室内機。
【請求項１２】
前記複数の部分は、係合構造によって接合される、
請求項５から請求項７のいずれか１項に記載の空調室内機。
【請求項１３】
前記装飾パネル（２０）と前記室内機本体（１０）の外側面とは、間隔を空けている、
請求項１から請求項１２のいずれか１項に記載の空調室内機。
【請求項１４】
前記室内機本体（１０）の底面には、吹出パネルが設置されている、
請求項１から請求項１３のいずれか１項に記載の空調室内機。
【請求項１５】
前記室内機本体（１０）は、ケーシングを有し、
前記ケーシングは、天板と、底フレームと、複数の支柱とを有し、
前記支柱は、前記天板および前記底フレームに交わる態様で、前記天板と前記底フレームとを接続する、
請求項１から請求項１４のいずれか１項に記載の空調室内機。
【請求項１６】
前記装飾パネルは、ダクト接続部を有する、
請求項１から請求項１５のいずれか１項に記載の空調室内機。
【発明の詳細な説明】
【技術分野】
【０００１】
空調分野に関し、特に、側面に吸込口を有し、かつ底面に吹出口を有する室内機本体を含む空調室内機に関する。
【背景技術】
【０００２】
従来、吊り天井の背面に取り付けられた室内機本体と、室内機本体の下方に設けられ、かつ吊り天井から露出する吹出パネルと、を含む天井吊り下げ型の空調室内機がある。室内機本体は、側面に吸込口を有し、底面に吹出口を有し、かつフレーム構造を呈するケーシングを有する。ケーシングは、天板と、底フレームと、複数の支柱と、を有し、支柱は、天板および底フレームに垂直な態様で、天板と底フレームとを接続する。また、ケーシング内にはファン、熱交換器、およびフィルター等が設置されている。また、吹出パネルは、室内機本体の底面に設置される。【０００３】
しかし、上述の空調室内機では、上述のように、室内機本体がフレーム構造を呈するケーシングを有しているので、室内機本体に設けられたファン、熱交換器、およびフィルター等の部材が完全に外部に露出してしまう。このため、特に、上述の空調室内機を吊り天井を設置していない場所に適用する場合、ファン、熱交換器、およびフィルター等の部材に埃がたまりやすく、空調室内機の運転効率低下を招きやすい。
【発明の概要】
【０００４】
外部の埃が室内機本体に設けられたファンおよび熱交換器等の部材に与える影響を低減することができる空調室内機を提供する。
【０００５】
上述の目的を実現するため、空調室内機は、側面に吸込口を有し、かつ底面に吹出口を有する室内機本体を含む。室内機本体には、軸流ファンと、軸流ファンを囲む熱交換器とが設けられている。空調室内機は、装飾パネルをさらに含み、装飾パネルは、少なくともその一部が室内機本体を囲むように、室内機本体の外側面に設置される。
【０００６】
この空調室内機によると、装飾パネルを、少なくともその一部が室内機本体を囲むように、室内機本体の側面の外側に設置するので、装飾パネルを利用して、外部の埃が室内機本体に設けられた軸流ファンおよび熱交換器等の部材に与える影響を低減することができる。特に、空調室内機を吊り天井を設置していない場所に適用する場合に、軸流ファンおよび熱交換器等の部材に溜まった埃によって、空調室内機の運転効率が低下することを防ぐのに役立つ。さらに、軸流ファンおよび熱交換器等の部材が完全に外部に露出することによって、美観性に影響を及ぼすことを防ぐことができる。また、虫、ねずみ等が外部に露出した軸流ファン、熱交換器等をかじること、または、外部の物体が外部に露出した軸流ファン、熱交換器等にぶつかること、等によって、部材の寿命が短くなることを防ぐことができる。
【０００７】
空調室内機において、室内機本体は複数の側面を有し、各側面は吸込口を有し、熱交換器は室内機本体の側面に沿って設置されることが好ましい。
【０００８】
この空調室内機によると、全体の空気処理能力の増大と小型化の実現に役立つ。また、このような場合であっても、装飾パネルを利用して、外部の埃が熱交換器の熱交換効率に与える影響を低減することができる。
【０００９】
空調室内機において、装飾パネルは、複数のサブパネルによって組み立てられることが好ましい。
【００１０】
この空調室内機によると、装飾パネルを複数のサブパネルに分解することによって、装飾パネルの運搬と処理を容易に行える上、加工を簡易化することができ、組み立てが自由になる。
【００１１】
上述の空調室内機において、以下の構造を採用することができる。複数のサブパネルは、切り離すことのできる第１サブパネルおよび第２サブパネルである。第１サブパネルはＵ字状を呈し、室内機本体の４つの側面のうち、第１側面、第２側面および第３側面を覆う。第２サブパネルは平面状を呈し、室内機本体の４つの側面のうち、第４側面を覆う。
【００１２】
上述の構造の空調室内機によると、装飾パネルを利用して室内機本体の４つの側面を覆うことで、外部の埃が室内機本体に設置された軸流ファンおよび熱交換器等の部材に与える影響をより効果的に低減することができ、また、着脱を簡易化できる。
【００１３】
上述の場合に、以下の構造をさらに採用することができる。空調室内機は冷媒配管を含み、冷媒配管は室内機本体の第４側面から引き出されて第２サブパネルを貫通する。第２サブパネルは複数の部分により構成され、この複数の部分は、接合によって、冷媒配管が貫通する孔を形成する。
【００１４】
上述の構造の空調室内機によると、取り付け時に、装飾パネルに冷媒配管を貫通させる必要があっても、簡単に作業を行うことができる。具体的には、第２サブパネルのある部分を冷媒配管に置いた後に、これらの部分に対向する側から第２サブパネルの残りの部分を組み合わせて装着するだけで、冷媒配管が装飾パネルを貫通する構造を形成することができるので、簡単に作業を行うことができる。
【００１５】
上述の空調室内機において、以下の構造を採用することができる。複数のサブパネルはそれぞれ平面状を呈し、それぞれ室内機本体の複数の側面を覆う。
【００１６】
上述の構造の空調室内機によると、装飾パネルを複数のサブパネルに分解することによって、装飾パネルの運搬と処理を容易に行うことができる。また、装飾パネルを利用して室内機本体の複数の側面を覆うことで、外部の埃が室内機本体に設けられた軸流ファンおよび熱交換器等の部材に与える影響を、より効果的に低減することができる。
【００１７】
上述の場合、以下の構造をさらに採用することができる。空調室内機は冷媒配管を含み、冷媒配管は、室内機本体の１つの側面から引き出されて装飾パネルを貫通する。複数のサブパネルのうち、少なくとも１つのサブパネルは、複数の部分により構成され、この複数の部分は、接合によって、冷媒配管が貫通する孔を形成する。
【００１８】
上述の構造の空調室内機によると、取り付け時に、装飾パネルに冷媒配管を貫通させる必要があっても、簡単に作業を行うことができる。具体的には、あるサブパネルのある部分を冷媒配管に置いた後、これらの部分に対向する側からサブパネルの残りの部分を組み合わせて装着するだけで、冷媒配管が装飾パネルを貫通する構造を形成することができるので、簡単に作業を行うことができる。また、冷媒配管の位置に応じて、臨機応変に対応することができる。
【００１９】
空調室内機において、室内機本体にはフィルターが設けられており、フィルターは、熱交換器と装飾パネルとの間に位置することが好ましい。
【００２０】
この空調室内機によると、外部の埃が室内機本体に設けられた熱交換器の熱交換効率に与える影響をさらに低減することができる。また、フィルターを利用して、その内側に位置する部材を保護することができる。
【００２１】
空調室内機において、装飾パネルは格子構造を有することが好ましい。例えば、格子構造は、室内機本体の吸込口に対向して設けられる。
【００２２】
この空調室内機によると、装飾パネルと室内機本体の外側面との間隔が比較的狭く設けられていても、簡単に風を装飾パネルの格子構造を経由させて室内機本体１０に向けて送ることができる。つまり、全体の寸法を小さくすることに寄与する。
【００２３】
空調室内機において、空調室内機は冷媒配管および／またはダクトを含み、冷媒配管は、室内機本体の１つの側面から引き出されて装飾パネルを貫通する、かつ／あるいは、ダクトは装飾パネルを貫通することが好ましい。
【００２４】
空調室内機において、室内機本体はフレーム構造を有し、装飾パネルは接続部材によって、フレーム構造を構成する部材と接続されることが好ましい。
【００２５】
ここで、接続部材としては、ネジくぎ、ボルト、リベット等でよく、フレーム構造を構成する部材としては、板金部材でも、モールド部材であってもよい。
【００２６】
この空調室内機によると、装飾パネルが比較的硬度の低い材料で製造されていても、装飾パネルの取り付け状態での安定性を高めることができる。
【００２７】
上述の空調室内機において、以下の構造を採用することができる。複数の部分は係合構造によって接合される。
【００２８】
この空調室内機によると、複数の部分の組み立ておよび分離を簡単に行うことができる。
【００２９】
空調室内機において、装飾パネルと室内機本体の外側面とは、間隔を空けていることが好ましい。
【００３０】
この空調室内機によると、風を装飾パネルと室内機本体の外側面との間の隙間を経由させて室内機本体に向けて送ることができるので、圧力損失を低減し、送風効率を高めることに寄与する。
【００３１】
空調室内機において、室内機本体の底面に、吹出パネルが設置されていることが好ましい。
【００３２】
この空調室内機によると、美観性の向上に役立つ上、吹出パネルを利用して空調対象空間へ吹き出す気流をガイドし、空調対象空間内にいる人の快適性を高めることができる。
【００３３】
空調室内機において、室内機本体はケーシングを有し、ケーシングは天板と、底フレームと、複数の支柱と、を有し、支柱は天板および底フレームと交わる態様で、天板と底フレームとを接続することが好ましい。
【００３４】
空調室内機において、装飾パネルはダクト接続部を有することが好ましい。ここで、ダクト接続部は、ダクトを接続することさえできればよく、円筒、角筒等の筒状部でも、他の形状の接続構造でもよい。
【発明の効果】
【００３５】
装飾パネルを、少なくともその一部が室内機本体を囲むように、室内機本体の外側面の近傍に設置するので、装飾パネルを利用して、外部の埃が室内機本体に設けられた軸流ファンおよび熱交換器等の部材に与える影響を低減することができる。特に、空調室内機を吊り天井を設置していない場所に適用する場合に、軸流ファンおよび熱交換器等の部材に溜まった埃によって、空調室内機の運転効率が低下することを防ぐのに役立つ。
【図面の簡単な説明】
【００３６】
【図１】空調室内機を模式的に示す斜視図。吹出パネルおよび天板の図示を省略している。
【図２】空調室内機に含まれる装飾パネルを模式的に示す斜視図。
【図３】空調室内機に含まれる装飾パネルを模式的に示す平面図。
【図４】空調室内機に含まれる装飾パネルを模式的に示す側面図。主に第１サブパネルの構造を示す。
【図５Ａ】空調室内機に含まれる装飾パネルを模式的に示す別の側面図。主に第２サブパネルの構造を示す。
【図５Ｂ】第２サブパネルの第１部分の構造を模式的に示す側面図。
【図５Ｃ】第２サブパネルの第２部分の構造を模式的に示す側面図。
【図６】空調室内機に含まれる装飾パネルの接合構造を模式的に示す斜視図。
【図７】空調室内機に含まれる装飾パネルの変形例を模式的に示す斜視図。
【図８】空調室内機に含まれる装飾パネルの変形例を模式的に示す別の斜視図。一部のサブパネルは省略されている。
【発明を実施するための形態】
【００３７】
以下、図１〜図５Ｃを参照しながら、空調室内機について説明する。
【００３８】
ここで、説明の便宜上、互いに直交する３つの方向をＸ方向、Ｙ方向、およびＺ方向とし、Ｚ方向における一方の側をＺ１、Ｚ方向における他方の側をＺ２とする。Ｘ方向およびＹ方向は、空調室内機を実際に取り付けた状態での水平面内の方向に対応し、Ｚ方向は、空調室内機を実際に取り付けた状態での上下方向に対応する。また、Ｚ１側は、空調室内機を実際に取り付けた状態での上側に対応し、Ｚ２側は、空調室内機を実際に取り付けた状態での下側に対応する。
【００３９】
図１に示すように、空調室内機１は、室内機本体１０および装飾パネル２０を含み、室内機本体１０は、側面（Ｘ方向またはＹ方向に垂直な面）に吸込口を有し、底面（Ｚ方向に垂直であって、Ｚ２方向側に位置する面）に吹出口を有する。また、室内機本体１０には、軸流ファン１１と、軸流ファン１１を囲む熱交換器１２とが設けられている。装飾パネル２０は、少なくともその一部が室内機本体１０を囲むように、室内機本体１０の外側面に設置される。
【００４０】
また、室内機本体１０は、複数の側面を有し、各側面は吸込口を有する。熱交換器１２は、この室内機本体１０の側面に沿って設置される。具体的には、室内機本体１０は、フレーム構造を呈するケーシングを有し、このケーシングは、例えば、図示しない板金部材によって製造された天板、底フレームおよび複数の支柱（天板、底フレームおよび複数の支柱の材料は限定されず、必要に応じて適宜選択することができる）を有し、支柱は、天板および底フレームに交わる（例えば垂直であるが、これに限定されない）ようにＺ方向に延びて、天板と底フレームとを繋ぎ合わせる。つまり、室内機本体１０の４つの側面は全て開放しており、吸込口は、この室内機本体の４つの側面全てに形成されている。熱交換器１２は、室内機本体１０の４つの側面にそれぞれ対応する部分を有する。熱交換器１２は、Ｚ方向に沿って見た時に開口した環形状を呈し、その開口した環の一端部から、熱交換器１２を構成する冷媒配管が引き出され、装飾パネル２０を貫通する。これにより、冷媒配管が図示しない空調室外機と接続され、冷媒回路が構成される。
【００４１】
また、図１に示すように、室内機本体１０には、フィルター１３が設けられ、フィルター１３は、熱交換器１２と装飾パネル２０との間に位置する。ここで、フィルター１３は、室内機本体１０の４つの側面全てに設けられており、フィルター１３の寸法は、熱交換器１２（吸込口）の寸法と略同一である。
【００４２】
また、装飾パネル２０と室内機本体１０の外側面（ここでは、フィルター１３によって構成されるが、これに限定されず、例えばフィルターを設けない場合は、熱交換器によって室内機本体の外側面を構成してもよい）とは間隔を空けており、装飾パネル２０は、図示しないネジによって室内機本体１０と接続される。具体的には、図２に示すように、装飾パネル２０には、ネジ穴ＳＨが設けられており、ネジ穴ＳＨを貫通したネジが、ケーシングを構成する板金部材にねじ込まれることにより、装飾パネル２０が室内機本体１０と接続される。
【００４３】
また、図２に示すように、装飾パネル２０は格子構造を有し、この格子構造は、室内機本体１０の吸込口に対向し、この格子構造の寸法は、室内機本体１０の吸込口の寸法と略同一である。
【００４４】
また、装飾パネル２０は、複数のサブパネルによって組み立てられる。
【００４５】
本実施形態では、図２〜図５Ｃに示すように、装飾パネル２０は、互いに接続（例えば係合によって繋ぎ合わせる）、分離することのできる第１サブパネル２１および第２サブパネル２２によって組み立てられる。第１サブパネル２１はＵ字状を呈し、室内機本体１０の４つの側面のうち第１側面、第２側面および第３側面を覆い、第２サブパネル２２は平面状を呈し、室内機本体１０の４つの側面のうち第４側面を覆う。
【００４６】
また、図２に示すように、第１サブパネル２１は、室内機本体１０の第１側面、第２側面、および第３側面の３つの側面にそれぞれ対応する平面状の３つの板部を有し、この３つの板部は互いに略同一の構造を有する。
【００４７】
また、図２に示すように、第２サブパネル２２は、複数の部分から構成され、この複数の部分が係合構造によって接合されることにより、室内機本体１０の第４側面から引き出された、熱交換器１２を構成する冷媒配管が貫通する孔ＴＨが形成される。具体的には、図５Ａから図５Ｃに示すように、第２サブパネル２２は、第１部分２２１および第２部分２２２を有し、第１部分２２１と第２部分２２２とが係合構造によって接合されることにより、上述の冷媒配管が貫通する孔ＴＨを形成する。より具体的には、第１部分２２１は、格子部２２１１および接合部２２１２を有する。格子部２２１１と接合部２２１２とは、Ｘ方向に沿って並び、格子部２２１１は、図示しないネジによって室内機本体１０と接続され、接合部２２１２と格子部２２１１とは一体に形成される。また、接合部２２１２の上述の孔ＴＨを構成する部分は、上述の冷媒配管の外形と適合する形状を有し、接合部２２１２の、格子部２２１１に隣接する図５Ｂの下側部分は、係合孔を有する。また、第２部分２２２の図５Ｃの左側部分は、上述の係合孔と係合する突起部を有し、第２部分２２２の、上述の孔ＴＨを構成する図５Ｃの上側部分は、上述の冷媒配管の外形に適合する形状を有し、そして、第２部分２２２の図５Ｃの右側部分は、第１サブパネル２１と係合する係合具ＫＫ（図６を参照すると、図中の係合具ＫＫは、第２サブパネル２２の室内機本体１０に面する側に形成され、第１サブパネル２１の室内機本体１０に面する側に形成された突条ＴＴに係止される）を有する。接合部２２１２と第２部分２２２とは、略Ｚ方向に沿って並び、接合されて上述の冷媒配管が貫通する孔ＴＨ、およびケーブル等が貫通するケーブル孔等を形成する。
【００４８】
ここで、図示していないが、第２サブパネル２２の第１部分２２１も係合具により第１サブパネル２１の突条に係止される。
【００４９】
以下、本実施形態の装飾パネル２０の接合方法の一例について説明する。
【００５０】
例えば、まず、第２サブパネル２２の第１部分２２１を、室内機本体１０の第４側面から引き出された、熱交換器１２を構成する冷媒配管に置き、ネジを用いて、第１部分２２１を室内機本体１０のケーシングに固定する。
【００５１】
続いて、第１サブパネル２１と第２サブパネル２２の第１部分２２１とを接合し、ネジを用いて第１サブパネル２１の各板部を室内機本体１０のケーシングに固定する。
【００５２】
最後に、第２サブパネル２２の第２部分２２２を組み合わせて装着する。これにより、装飾パネル２０の組み立てが完了する。
【００５３】
本実施形態では、軸流ファン１１を駆動し運転させることにより、外部の空気を、装飾パネルを経由させて、室内機本体１０の４つの側面から室内機本体１０に吸入し、そして空気を、室内機本体１０の４つの側面に沿って設置された熱交換器１２を通過させた後に、室内機本体１０の底面から空調対象空間に向けて吹き出すことができる。
【００５４】
本実施形態の空調室内機１によると、装飾パネル２０を、少なくともその一部が室内機本体１０を囲むように、室内機本体１０の外側面に設置するので、装飾パネル２０を利用して、外部の埃が室内機本体１０に設けられた軸流ファン１１および熱交換器１２等の部材に与える影響を低減することができる。特に、空調室内機１を吊り天井を設置していない場所に適用する場合に、軸流ファン１１および熱交換器１２等の部材に溜まった埃によって、空調室内機１の運転効率が低下することを防ぐのに役立ち、さらに、軸流ファン１１および熱交換器１２等の部材が完全に外部に露出することによって、美観性に影響を及ぼすことを防ぐことができる。また、虫、ねずみ等が外部に露出した軸流ファン１１、熱交換器１２等をかじること、または外部の物体が外部に露出した軸流ファン１１、熱交換器１２等にぶつかること等によって、部材の寿命が短くなることを防ぐことができる。
【００５５】
また、本実施形態の空調室内機１によると、室内機本体１０の複数の側面は、吸込口を有し、熱交換器１２は、室内機本体１０の側面に沿って設置されて軸流ファン１１を囲むので、全体の空気処理能力の増大と小型化の実現に役立つ。また、このような場合であっても、装飾パネル２０を利用して、外部の埃が熱交換器１２の熱交換効率に与える影響を低減することができる。
【００５６】
また、本実施形態の空調室内機１によると、装飾パネル２０は複数のサブパネルによって組み立てられるので、装飾パネル２０の運搬と処理を容易に行える上、加工を簡易化することができ、組み立てが自由になる。
【００５７】
また、本実施形態の空調室内機１によると、装飾パネル２０は、第１サブパネル２１および第２サブパネル２２を含み、第１サブパネル２１および第２サブパネル２２は室内機本体１０の４つの側面を覆うので、外部の埃が室内機本体１０に設けられた軸流ファン１１および熱交換器１２等の部材に与える影響をより効果的に低減することができる上、着脱を簡易化できる。
【００５８】
また、本実施形態の空調室内機１によると、第２サブパネル２２は、複数の部分により構成され、この複数の部分は、接合によって室内機本体１０の側面から引き出された冷媒配管が貫通する孔ＴＨを形成するので、取り付け時に、装飾パネル２０に冷媒配管を貫通させる必要があっても、簡単に作業を行うことができる。具体的には、（図のＺ１方向側から）第２サブパネル２２の第１部分２２１を冷媒配管に置いた後、第１部分２２１に対向する側（図のＺ２方向側）から第２サブパネル２２の第２部分２２２を組み合わせて装着するだけで、冷媒配管が装飾パネル２０を貫通する構造を形成することができるので、簡単に作業を行うことができる。
【００５９】
また、本実施形態の空調室内機１によると、第２サブパネル２２において、第１部分２２１は接合部２２１２を有し、この接合部２２１２の孔ＴＨを構成する部分は、冷媒配管の外形と適合する形状を有するので、取り付け時に、第１部分２２１の接合部２２１２を比較的安定して冷媒配管に置くことができる。これにより、第２サブパネル２２を予め固定して自立させることができ、取り付けを容易に行うことができる。
【００６０】
また、本実施形態の空調室内機１によると、熱交換器１２と装飾パネル２０との間には、フィルター１３が設けられているので、外部の埃が室内機本体１０に設けられた熱交換器１２の熱交換効率に与える影響をさらに低減することができる上、フィルター１３を利用して、その内側に位置する部材を保護することができる。
【００６１】
また、本実施形態の空調室内機１によると、装飾パネル２０は格子構造を有するので、装飾パネル２０と室内機本体１０の外側面との間隔が比較的狭く設けられていても、簡単に風を装飾パネル２０の格子構造を経由させて、室内機本体１０に向けて送ることができる。つまり、全体の寸法を小さくすることに寄与する。
【００６２】
また、本実施形態の空調室内機１によると、装飾パネル２０はネジにより室内機本体１０の板金部材と接続されるので、装飾パネル２０が比較的硬度が低い材料で製造されていても、装飾パネル２０の取り付け状態での安定性を高めることができる。
【００６３】
また、本実施形態の空調室内機１によると、第２サブパネル２２の複数の部分は、係合構造によって接合されるので、複数の部分の組み立ておよび分離を簡単に行うことができる。
【００６４】
また、本実施形態の空調室内機１によると、装飾パネル２０と室内機本体１０の外側面とは間隔を空けているので、風を装飾パネル２０と室内機本体１０の外側面との間の隙間を経由させて、室内機本体１０に向けて送ることができる。よって、圧力損失を低減し、送風効率を高めることに寄与する。
【００６５】
空調室内機では、室内機本体の底面に吹出パネルが設置されていることが好ましい。これにより、美観性の向上に役立つ上、吹出パネルを利用して、空調対象空間に向けて吹き出す気流をガイドし、空調対象空間内にいる人の快適性を高めることができる。特に、このような場合、Ｚ方向に沿って見た時に、吹出パネルが装飾パネル２０全体を覆うことができる、つまり、Ｚ方向に沿って見た時に、装飾パネル２０全体が吹出パネルの範囲内に収まる（装飾パネル２０が吹出パネルの外縁を超えない）ことが好ましい。これにより、空調室内機全体の美観性の確保に寄与する。
【００６６】
以上、図面と関連付けて、例示的な説明を行ったが、空調室内機を具体的に実現するにあたって、上述の実施形態の制限を受けないことは明らかである。
【００６７】
例えば、上述の実施形態では、第１サブパネル２１は、室内機本体１０の第１側面、第２側面および第３側面のこの３つの側面にそれぞれ対応する平面状の３つの板部を有し、この３つの板部は互いに略同一の構造を有していた。しかし、これに限定されず、３つの板部の構造は、互いに異なっていてもよい。
【００６８】
また、上述の実施形態では、第２サブパネル２２は複数の部分によって構成されていた。しかし、これに限定されず、第２サブパネル２２を、一体に構成された部材として形成してもよい。
【００６９】
また、上述の実施形態では、装飾パネル２０は、切り離すことのできる第１サブパネル２１および第２サブパネル２２によって組み立てられ、第１サブパネル２１はＵ字状を呈し、第２サブパネル２２は平面状を呈していた。しかし、これに限定されず、図７および図８に示すような装飾パネルを採用してもよい。
【００７０】
具体的には、図７に示す例では、装飾パネルは、切り離すことのできる４つのサブパネル２１Ａ〜２４Ａにより構成され、この４つのサブパネル２１Ａ〜２４Ａはそれぞれ平面状を呈し、それぞれ図示しない室内機本体の４つの側面を覆っている。また、上述の４つのサブパネル２１Ａ〜２４Ａのうち、サブパネル２１Ａには、筒状部ＣＰＡが一体に形成されている。この筒状部ＣＰＡに、例えばダクトを貫通させて室外まで延ばすことで、室外空気をダクトを経由させて空調室内機に引き込みやすくする。サブパネル２４Ａには、上述の第２サブパネル２２と同一の構造を採用する。
【００７１】
図８に示す例でも、装飾パネルは、切り離すことのできる４つのサブパネルにより構成され(ここでは、サブパネル２１Ｂおよびサブパネル２４Ｂの２つのサブパネルのみ図示する）、この４つのサブパネルは、それぞれ平面状を呈し、それぞれ図示しない室内機本体の４つの側面を覆う。また、上述の４つのサブパネルのうち、サブパネル２１Ｂには、筒状部ＣＰＢが一体に形成されている。この筒状部ＣＰＢに、例えば、室外と連通するダクトの一端が挿入または係入されることで、室外空気をダクトを経由させて空調室内機に引き込みやすくする。サブパネル２４Ｂには、上述の第２サブパネル２２と同一の構造を採用する。
【００７２】
また、上述の図７および図８に示す装飾パネルを採用した場合、例えば、以下のように組み立てることができる。まず、室内機本体の側面から引き出された、熱交換器を構成する冷媒配管に、第４サブパネル２４Ａ、２４Ｂの、上述の第１部分２２１に対応する部分を置き、ネジを用いて、その部分を室内機本体のケーシングに固定する。続いて、図１のＺ方向に沿って見て時計回りまたは反時計回りの順番で残りのサブパネルを接合し、ネジを用いて、これらのサブパネルを室内機本体のケーシングに固定する。最後に、第４サブパネル２４Ａ、２４Ｂの、上述の第２部分２２２に対応する部分を組み合わせて装着する。これにより、装飾パネルの組み立てが完了する。
【００７３】
また、上述の実施形態において、第１サブパネル２１の３つの板部のうちの１つに、風ガイド漏斗を被せて設けてもよい。この風ガイド漏斗の一端の大開口は板部に面し（開口の大きさ、形状を、例えば板部の大きさ、形状に基本的に一致させて設けることができる）、そして、この大開口の縁は板部と当接する。この風ガイド漏斗の他端の小開口は、ダクトと接続される。このような場合、もちろん第１サブパネル２１の風ガイド漏斗に覆われる板部を省略してもよい。
【００７４】
また、上下方向（図１のＺ方向）に沿って見てそれぞれ半円形を呈する２つのサブパネルを互いに係合させて、装飾パネル２０を形成してもよい。あるいは、上下方向（図１のＺ方向）に沿って見てそれぞれ弧形（優弧でもよいし、劣弧でもよい）を呈する３つ以上のサブパネルを互いに係合させて、装飾パネル２０を形成してもよいし、上下方向（図１のＺ方向）に沿って見てそれぞれ半円形、弧形以外の形状を呈する複数のサブパネルを互いに係合させて、装飾パネル２０を形成してもよい。
【００７５】
また、状況に応じて、装飾パネルを、一体に構成された部材として形成してもよい。
【００７６】
また、上述の実施形態では、室内機本体１０の複数の側面は、吸込口を有していた。しかし、これに限定されず、状況に応じて、室内機本体１０の１つの側面のみに吸込口を設けてもよい。
【００７７】
また、上述の実施形態では、装飾パネル２０は、空調室内機の冷媒配管が貫通する孔ＴＨを有していた。しかし、これに限定されず、装飾パネルは、冷媒配管が貫通する孔を有していなくてもよい。
【００７８】
また、上述の実施形態では、装飾パネル２０は、図示しないネジにより室内機本体１０と接続された。しかし、これに限定されず、装飾パネルは、例えば、係合構造によって室内機本体と接続されてもよい。
【００７９】
また、上述の実施形態では、室内機本体１０の底面に吹出パネルが設置されていた。しかし、これに限定されず、状況に応じて、室内機本体をダクトに接続した後、吹出パネルに接続してもよいし、あるいは、ダクトおよび吹出パネルを省略してもよい。
【００８０】
また、上述の実施形態では、装飾パネル２０は、格子構造を有していた。しかし、これに限定されず、装飾パネル２０は、格子構造を有しなくてもよい。このような場合、装飾パネル２０と室内機本体１０の外側面との間の隙間を比較的大きく設定することが好ましい。
【００８１】
また、上述の実施形態では、室内機本体１０にフィルター１３が設けられており、このフィルター１３は、熱交換器１２と装飾パネル２０との間に位置していた。しかし、これに限定されず、フィルターの設置位置は、必要に応じて適宜変更してよく、また、状況に応じてフィルターを省略してもよい。
【符号の説明】
【００８２】
１              空調室内機
１０            室内機本体
１１            軸流ファン
１２            熱交換器
１３            フィルター
２０            装飾パネル
２１            第１サブパネル
２２            第２サブパネル
２２１          第１部分
２２１１        格子部
２２１２        接合部
２２２          第２部分
ＴＨ            孔
ＳＨ            ネジ穴
ＫＫ            係合具
ＴＴ            突条
２１Ａ〜２４Ａ  サブパネル
２１Ｂ、２４Ｂ  サブパネル
ＣＰＡ          筒状部
ＣＰＢ          筒状部
【図１】
2019225278.tif 000003
【図２】
2019225278.tif 000004
【図３】
2019225278.tif 000005
【図４】
2019225278.tif 000006
【図５Ａ】
2019225278.tif 000007
【図５Ｂ】
2019225278.tif 000008
【図５Ｃ】
2019225278.tif 000009
【図６】
2019225278.tif 000010
【図７】
2019225278.tif 000011
【図８】
2019225278.tif 000012
【国際調査報告】
2019225278.tif 000013
2019225278.tif 000014
2019225278.tif 000015
2019225278.tif 000016